(57)【要約】      （修正有）【課題】従来の位置情報に相当する空気調和機のショーケースに対する影響度を低コストで簡便に計測し、省エネ運転に利用することができる店舗集中管理装置を提供する。【解決手段】店舗ＳＴに設置された複数台のショーケースＣ１〜Ｃｍ及び室内機Ａ１〜Ａｎの運転を一括して管理する。各ショーケースＣ１〜Ｃｍの庫内温度を計測する庫内温度センサ７と、ショーケースＣ１〜Ｃｍの庫内冷却運転を停止した状態で、何れかの室内機Ａ１〜Ａｎを運転したときの各ショーケースＣ１〜Ｃｍの庫内温度の変化を計測する影響度計測部と、この影響度計測部が計測した室内機Ａ１〜ＡｎのショーケースＣ１〜Ｃｍに対する影響度を記憶する影響度記憶部を備える。【選択図】図１
2013096589.tif 000002
【特許請求の範囲】
【請求項１】
店舗に設置された複数台のショーケース及び空気調和機の運転を一括して管理する店舗集中管理装置において、
前記各ショーケースの庫内温度を計測する庫内温度計測部と、
前記ショーケースの庫内冷却運転を停止した状態で、何れかの前記空気調和機を運転したときの各ショーケースの庫内温度の変化を計測する影響度計測部と、
該影響度計測部が計測した前記空気調和機の前記ショーケースに対する影響度を記憶する影響度記憶部と備えたことを特徴とする店舗集中管理装置。
【請求項２】
前記ショーケースの庫内冷却状態が悪化した場合、前記影響度記憶部に記憶された当該ショーケースに対する影響度の大きい前記空気調和機の冷房能力を増大させることを特徴とする請求項１に記載の店舗集中管理装置。
【請求項３】
前記ショーケースの庫内冷却状態に応じて、冷房能力を増大させる前記影響度の大きい空気調和機の台数を調整することを特徴とする請求項２に記載の店舗集中管理装置。
【請求項４】
庫内冷却状態が悪化した前記ショーケース近傍の前記ショーケースの庫内冷却能力を低下させることを特徴とする請求項２又は請求項３に記載の店舗集中管理装置。
【請求項５】
前記ショーケースの除霜を行う場合、前記影響度記憶部に記憶された当該ショーケースに対する影響度の大きい前記空気調和機の冷房能力を増大させることを特徴とする請求項１に記載の店舗集中管理装置。
【請求項６】
前記ショーケースはオープンショーケースであることを特徴とする請求項１乃至請求項５のうちの何れかに記載の店舗集中管理装置。
【請求項７】
店舗に設置された複数台のショーケースの庫内冷却運転を停止した状態で、前記店舗に設置された複数台の空気調和機のうちの何れかを運転し、そのときの各ショーケースの庫内温度の変化を計測することにより、前記空気調和機の前記ショーケースに対する影響度を計測することを特徴とする空気調和機のショーケースへの影響度計測方法。
【発明の詳細な説明】
【技術分野】
【０００１】
本発明は、スーパーマーケットやコンビニエンスストア等の店舗に設置されたショーケースや空気調和機の運転状態を一括して管理するための集中管理装置及び当該空気調和機のショーケースへの影響度を計測する方法に関するものである。
【背景技術】
【０００２】
従来よりスーパーマーケットやコンビニエンスストア等の店舗には、複数台のショーケースや空気調和機が設置されているが、近年ではこれらショーケースや空気調和機のコントローラと統合コントローラをネットワークで接続し、各ショーケースの運転状態を一括して管理することで、効率の良い運転制御を実現する店舗集中管理装置が開発されている。
【０００３】
ここで、特にオープンショーケースの場合には、空気調和機（室内機）からの冷房が庫内冷却に影響する。また、空気調和機はショーケースよりエネルギー効率が高いので、ショーケースの庫内の冷却状態が悪化した場合には、ショーケースの冷却能力を増大させるよりも、空気調和機の冷房能力を増大させた方が効率的にショーケースの庫内温度を下げることができる（例えば、特許文献１、特許文献２参照）。
【先行技術文献】
【特許文献】
【０００４】
【特許文献１】特開２００６−２３０６９号公報
【特許文献２】特開２００９−１７４７３４号公報
【発明の概要】
【発明が解決しようとする課題】
【０００５】
しかしながら、そのためにはショーケースと空気調和機との位置関係が重要となるため、それらの位置情報であるグルーピング情報を初期設定する必要がある。前記特許文献２ではこれらショーケースや空気調和機の位置情報を、店舗のユーザが手作業で設定したり、各機器にＧＰＳ受信機を搭載して信号を検索する、或いは、床にＲＦＩＤタグを複数配置して検出する等の手法で設定していたため、煩雑化やコストの高騰を招いていた。
【０００６】
本発明は、係る従来の技術的課題を解決するために成されたものであり、従来の位置情報に相当する空気調和機のショーケースに対する影響度を低コストで簡便に計測し、省エネ運転に利用することができる店舗集中管理装置及び空気調和機のショーケースへの影響度計測方法を提供するものである。
【課題を解決するための手段】
【０００７】
上記課題を解決するために請求項１の発明の店舗集中管理装置は、店舗に設置された複数台のショーケース及び空気調和機の運転を一括して管理するものであって、各ショーケースの庫内温度を計測する庫内温度計測部と、ショーケースの庫内冷却運転を停止した状態で、何れかの空気調和機を運転したときの各ショーケースの庫内温度の変化を計測する影響度計測部と、この影響度計測部が計測した空気調和機のショーケースに対する影響度を記憶する影響度記憶部と備えたことを特徴とする。
【０００８】
請求項２の発明の店舗集中管理装置は、上記発明においてショーケースの庫内冷却状態が悪化した場合、影響度記憶部に記憶された当該ショーケースに対する影響度の大きい空気調和機の冷房能力を増大させることを特徴とする。
【０００９】
請求項３の発明の店舗集中管理装置は、上記発明においてショーケースの庫内冷却状態に応じて、冷房能力を増大させる影響度の大きい空気調和機の台数を調整することを特徴とする。
【００１０】
請求項４の発明の店舗集中管理装置は、請求項２又は請求項３の発明において庫内冷却状態が悪化したショーケース近傍のショーケースの庫内冷却能力を低下させることを特徴とする。
【００１１】
請求項５の発明の店舗集中管理装置は、請求項１の発明においてショーケースの除霜を行う場合、影響度記憶部に記憶された当該ショーケースに対する影響度の大きい空気調和機の冷房能力を増大させることを特徴とする。
【００１２】
請求項６の発明の店舗集中管理装置は、上記各発明においてショーケースはオープンショーケースであることを特徴とする。
【００１３】
請求項７の発明の空気調和機のショーケースへの影響度計測方法は、店舗に設置された複数台のショーケースの庫内冷却運転を停止した状態で、店舗に設置された複数台の空気調和機のうちの何れかを運転し、そのときの各ショーケースの庫内温度の変化を計測することにより、空気調和機のショーケースに対する影響度を計測することを特徴とする。
【発明の効果】
【００１４】
請求項１の発明の店舗集中管理装置によれば、店舗に設置された複数台のショーケース及び空気調和機の運転を一括して管理する店舗集中管理装置は、各ショーケースの庫内温度を計測する庫内温度計測部と、ショーケースの庫内冷却運転を停止した状態で、何れかの空気調和機を運転したときの各ショーケースの庫内温度の変化を計測する影響度計測部と、この影響度計測部が計測した空気調和機のショーケースに対する影響度を記憶する影響度記憶部と備えているので、既存の機器を利用して店舗に設置された空気調和機のショーケースに対する影響度を取得することが可能となる。
【００１５】
そして、この影響度はショーケースと空気調和機の店舗における位置情報に相当するので、これにより、従来の如く手作業で位置情報を設定する必要が無くなり、ＧＰＳやＲＦＩＤタグ等の機器を用いた位置検索も不要となるので、安価で簡便な店舗内の省エネ運転を実現することが可能となる。
【００１６】
この場合、請求項２の発明の如くショーケースの庫内冷却状態が悪化した場合、影響度記憶部に記憶された当該ショーケースに対する影響度の大きい空気調和機の冷房能力を増大させることにより、エネルギー効率の高い空気調和機でショーケースの庫内を冷却することが可能となり、店舗における消費電力を効果的に削減することが可能となる。
【００１７】
更に、請求項３の発明の如くショーケースの庫内冷却状態に応じて、冷房能力を増大させる影響度の大きい空気調和機の台数を調整すれば、空気調和機により一層効果的にショーケースの庫内冷却を実現することが可能となる。
【００１８】
また、この場合請求項４の発明の如く庫内冷却状態が悪化したショーケース近傍のショーケースの庫内冷却能力を低下させれば、当該近傍のショーケースで発生する庫内の過冷却も未然に回避することが可能となる。
【００１９】
また、請求項５の発明の如くショーケースの除霜を行う場合に、影響度記憶部に記憶された当該ショーケースに対する影響度の大きい空気調和機の冷房能力を増大させれば、除霜による庫内温度上昇を抑制して、商品の劣化を抑制若しくは回避することが可能となる。
【００２０】
そして、上記は請求項６の発明の如きオープンショーケースの場合に特に有効である。
【００２１】
請求項７の発明の空気調和機のショーケースへの影響度計測方法によれば、店舗に設置された複数台のショーケースの庫内冷却運転を停止した状態で、店舗に設置された複数台の空気調和機のうちの何れかを運転し、そのときの各ショーケースの庫内温度の変化を計測することにより、空気調和機のショーケースに対する影響度を計測するので、同様に既存の機器を利用して店舗に設置された空気調和機のショーケースに対する影響度を取得することが可能となる。
【００２２】
同じくこの影響度はショーケースと空気調和機の店舗における位置情報に相当するので、これにより、従来の如く手作業で位置情報を設定する必要が無くなり、ＧＰＳやＲＦＩＤタグ等の機器を用いた位置検索も不要となるので、安価で簡便な店舗内の省エネ運転を実現することが可能となる。
【図面の簡単な説明】
【００２３】
【図１】本発明を適用した一実施例の店舗集中管理装置の構成図である。
【図２】図１の店舗集中管理装置の統合コントローラの構成図である。
【図３】図２の統合コントローラの影響度計測動作に関する機能ブロック図である。
【図４】図２の統合コントローラの庫内冷却補助動作に関する機能ブロック図である。
【図５】図３の統合コントローラの動作を説明するフローチャートである。
【図６】図３の統合コントローラの影響度記憶部に構成された影響度テーブルを示す図である。
【図７】図３の統合コントローラの影響度記憶部に構成されたもう一つの影響度テーブルを示す図である。
【図８】図３の統合コントローラの動作を説明するための影響度テーブルを示す図である。
【図９】同じく図３の統合コントローラの動作を説明するための影響度テーブルを示す図である。
【発明を実施するための形態】
【００２４】
以下、本発明の実施の形態について、詳細に説明する。実施例の店舗集中管理装置１は、スーパーマーケットやコンビニエンスストア等の店舗ＳＴ設置されたショーケースＣ１〜Ｃｍ、冷凍機Ｒ、店舗ＳＴの店内空調機ＡＣや図示しない店舗照明の制御を統合して実行する店舗統合管理システムと称されるものである。
【００２５】
図１において、店舗ＳＴの店内（売場内）には複数台のショーケースＣ１〜Ｃｍが設置されており、更にこれらショーケースＣ１〜Ｃｍに冷媒を供給する冷凍機Ｒが店外、或いは、店舗の機械室等に設置されている。冷凍機Ｒは冷媒を圧縮して吐出する図示しないコンプレッサや、該コンプレッサから吐出された高温高圧の冷媒を空冷・水冷等することにより凝縮するコンデンサ等を備えている。
【００２６】
ショーケースＣ１〜Ｃｍは、例えば庫内（陳列室）の前面や側面、或いは、上面が開口した所謂オープンショーケースである。各ショーケースＣ１〜Ｃｍには図示しない蒸発器や減圧装置がそれぞれ設けられ、それらは冷媒配管２により冷凍機Ｒに接続されて周知の冷媒回路を構成する。そして、この蒸発器で冷媒を蒸発させ、蒸発による吸熱作用で冷却された冷気を図示しない送風機で庫内に循環することで、各ショーケースＣ１〜Ｃｍの庫内を所定の目標温度に冷却する冷却運転を行うものである。
【００２７】
店内空調機ＡＣは、店内の天井に複数台取り付けられた空気調和機としての室内機Ａ１からＡｎとこれらに冷媒を供給する図示しない室外機とから構成されている。尚、実施例では空気調和機として室内機Ａ１〜Ａｎを用いているが、それに限らず、複数の独立した空気調和機が天井に取り付けられていても良いものとする。
【００２８】
これらショーケースＣ１〜Ｃｍや冷凍機Ｒ、室内機Ａ１〜Ａｎは、機器コントローラ３をそれぞれ有しており、これら機器コントローラ３により運転が制御される。各機器コントローラ３は通信線４により統合コントローラ６に接続され、これらにより店舗集中管理装置１のネットワークが構成される。各ショーケースＣ１〜Ｃｍには庫内温度を計測する庫内温度計測部としての庫内温度センサ７がそれぞれ取り付けられており、自らの機器コントローラ３に接続されている。尚、室内機Ａ１〜Ａｎにも吸込空気温度等を計測する図示しない温度センサが取り付けられている。
【００２９】
この統合コントローラ６は店舗ＳＴに設置されている。図２はこの統合コントローラ６の構成図を示している。統合コントローラ６は制御機能を司るＣＰＵ２１と、記憶装置としてのＲＯＭ２２、ＲＡＭ２３と、店舗ＳＴ内の各機器コントローラ３と通信線４により接続される通信Ｉ／Ｆ２６と、ＬＡＮ等のネットワークを介して外部の遠隔管理システムに接続されるネットワークＩ／Ｆ２４から構成されている。統合コントローラ６では各ショーケースＣ１〜Ｃｍや冷凍機Ｒ、室内機Ａ１〜Ａｎの制御を行うための各種設定値等（目標温度、警報設定等）のデータを入力可能とされており、これらのデータはＲＡＭ２３に記憶されると共に、通信Ｉ／Ｆ２６より通信線４を介して各ショーケースＣ１〜Ｃｍや冷凍機Ｒ、室内機Ａ１〜Ａｎの機器コントローラ３にそれぞれ配信される。
【００３０】
そして、各ショーケースＣ１〜Ｃｎの機器コントローラ３は受信した目標温度のデータと庫内温度センサ７が計測した庫内温度に基づいて各ショーケースＣ１〜Ｃｎの運転を制御する。冷凍機Ｒの機器コントローラ３も同様に受信したデータに基づいて冷凍機Ｒの運転を制御し、室内機Ａ１〜Ａｎの機器コントローラ３も同様に受信した目標温度のデータと吸込空気温度等に基づいて各室内機Ａ１〜Ａｎの運転を制御する。尚、店内照明にも同様の機器コントローラが設けられ、統合コントローラ６から受信したデータに基づいて点／消灯制御される。
【００３１】
更に、統合コントローラ６のＣＰＵ２１は通信Ｉ／Ｆ２６を介して定期的に各機器コントローラ３にポーリングを行い、各機器コントローラ３は、これに応えて各ショーケースＣ１〜Ｃｍや冷凍機Ｒ、室内機Ａ１〜ＡＮの運転状態に関するデータ（庫内温度や吸込空気温度等の計測データ、警報データ）を統合コントローラ６に送信する（店内照明も同様に点／消灯状態に関するデータを送信する）。統合コントローラ６は受信したデータをＲＡＭ２３に記憶し、収集したデータを保存して管理する。
【００３２】
尚、各ショーケースＡ１、Ａ２等で障害が生じて警報が発生した場合、定期的なポーリングによらず、警報が発生した時点で機器コントローラ３から統合コントローラ６に警報データが通知される。統合コントローラ６ではこれらのデータを表示することができるので、これにより、統合コントローラ６は店舗ＳＴ内の各機器の状態監視と制御を実行し、複数の機器を一括して管理することができるように構成されている。
【００３３】
また、統合コントローラ６のＣＰＵ２１は各ショーケースＣ１〜Ｃｍの庫内冷却状態が悪化して庫内温度が目標温度より高くなったような場合、後に詳述するように店内空調機ＡＣの室内機Ａ１〜Ａｎの運転を制御して冷房による冷気をショーケースＣ１〜Ｃｍの庫内に送り込み、庫内温度を下げる、即ち、ショーケースＣ１〜Ｃｍの庫内冷却を室内機Ａ１〜Ａｎで補助する動作を実行する。その理由は、ショーケースＣ１〜Ｃｍと冷凍機Ｒから成るショーケース冷却装置に比べて店内空調機ＡＣの方がエネルギー効率が高いからである。
【００３４】
但し、室内機Ａ１〜ＡｎによりショーケースＣ１〜Ｃｍの庫内冷却補助を行うためには、基本的にはショーケースＣ１〜Ｃｍの近くの室内機Ａ１〜Ａｎを利用することになるので、各ショーケースＣ１〜Ｃｍと各室内機Ａ１〜Ａｎの店内におけるグルーピングを示すレイアウトの設定が必要となる。
【００３５】
統合コントローラ６は係る店舗レイアウトに関する情報も保持しているものであるが、従来ではユーザが手作業で設定したり、ＧＰＳやＲＦＩＤタグ等の機器を用いて設定していたため、煩雑であり、コストも高騰していた。
【００３６】
そこで、本発明では既存の機器を用いて各ショーケースＣ１〜Ｃｍと各室内機Ａ１〜Ａｎのグルーピングを自動的に設定するシステムを提供する。図３は係るグルーピングを行うための後述する影響度計測動作に関する統合コントローラ６の機能ブロック図を示し、図４は店内空調機ＡＣによるショーケースの庫内冷却補助に関する統合コントローラ６の機能ブロック図を示している。尚、図３と図４において同一符号で示すものは同一の機能を示すものとする。
【００３７】
図３において庫内温度取得部１１は、各ショーケースＣ１〜Ｃｍの庫内温度センサ７が計測した庫内温度を各ショーケースＣ１〜Ｃｍの機器コントローラ３から取得する。影響度計測部２７は、この庫内温度取得部１１が取得した各ショーケースＣ１〜Ｃｍの庫内温度に基づき、各室内機Ａ１〜Ａｎの各ショーケースＣ１〜Ｃｍに対する影響度を計測する影響度計測動作を実行する。影響度記憶部１２は、この影響度計測部２７が計測した各室内機Ａ１〜Ａｎの各ショーケースＣ１〜Ｃｍに対する影響度を記憶する。
【００３８】
図４において、グループ制御部１７は影響度記憶部１２に記憶された影響度に基づいて各ショーケースＣ１〜Ｃｍとグルーピングされる室内機Ａ１〜Ａｎを用いて後述する庫内冷却補助動作を実行するものであり、機器特定部１３と機器動作決定部１４とから構成される。機器特定部１３は各ショーケースＣ１〜Ｃｍの目標温度（庫内温度設定値）と庫内温度との差から庫内冷却補助のための制御対象となる室内機Ａ１〜Ａｎ、及び、当該制御によって制御状態を変更するショーケースＣ１〜Ｃｍを特定する。機器動作決定部１４は機器特定部１３で特定された室内機Ａ１〜ＡｎやショーケースＣ１〜Ｃｍに対して目標温度（空調温度設定値）を下げる、或いは、後述するように目標温度（庫内温度設定値）を上げる等の制御指示を決定する。指示送信部１６はグループ制御部１７の機器動作決定部１４で決定された制御指示を当該室内機Ａ１〜ＡｎやショーケースＣ１〜Ｃｍの機器コントローラ３に対して送信する。
【００３９】
（１）影響度計測動作
次に、統合コントローラ６が実行する上記影響度計測動作について図５のフローチャートを参照しながら説明する。統合コントローラ６の影響度計測部２７（図３）は、店舗ＳＴに各機器が据え付けられて影響度計測動作の指示が入力されると、図５のステップＳ１でカウンタｉを１に設定する。尚、この影響度計測動作では、各ショーケースＣ１〜Ｃｍや室内機Ａ１〜Ａｎ、統合コントローラ６の電源は投入されているものの、機器コントローラ３及び庫内温度センサ７以外は動作を停止しているものとする。特に、統合コントローラ６は冷凍機Ｒの機器コントローラ３に対して運転停止、即ち、各ショーケースＣ１〜Ｃｍへの冷媒供給の停止を指示する。従って、各ショーケースＣ１〜Ｃｍの庫内冷却運転は停止している。尚、本実施例では全てのショーケースＣ１〜Ｃｍへの冷媒供給を停止しているが、これに限らず、影響度を計測する対象となる任意のショーケースについてのみ冷媒供給を停止するようにしても良い。これと同様に、以下の各ステップについても当該任意のショーケースについてのみ実施するようにしても良い。
【００４０】
また、フローチャートにおいてカウンタｉが１とは室内機Ａ１を意味し、２は室内機Ａ２、ｎは室内機Ａｎを意味する。即ち、ステップＳ１では室内機Ａ１が影響を与える側の機器として設定される。次にステップＳ２で全ての室内機Ａ１〜Ａｎを停止し、ステップＳ３で全てのショーケースＣ１〜Ｃｍの庫内温度が安定しているか否か判断する。影響度計測動作開始当初で、何れかのショーケースＣ１〜Ｃｍの庫内温度が未だ安定していない場合には、ステップＳ９に進んで一定時間待機し、ステップＳ３に戻って以後全てのショーケースＣ１〜Ｃｍの庫内温度が安定するまで待機する。
【００４１】
そして、ステップＳ３で全ショーケースＣ１〜Ｃｍの庫内温度が安定した場合、ステップＳ４に進んで統合コントローラ６の庫内温度取得部１１は全ショーケースＣ１〜Ｃｍの機器コントローラ３から庫内温度センサ７が計測した各ショーケースＣ１〜Ｃｍの現在の庫内温度Ｔ１を取得する。
【００４２】
次に、ステップＳ５で前記室内機Ａ１のみを運転して一定時間（例えば、１時間）待機する。この室内機Ａ１の運転により吹き出された冷気が各ショーケースＣ１〜Ｃｍの庫内に進入し、或いは、その周囲の空間温度を低下させて冷却影響を与えることになる。次に、一定時間待機した後、図３の統合コントローラ６の庫内温度取得部１１はステップＳ６で再度全ショーケースＣ１〜Ｃｍの機器コントローラ３から庫内温度センサ７が計測した各ショーケースＣ１〜Ｃｍの一定時間待機した後の庫内温度Ｔ２を取得する。
【００４３】
そして、図３の統合コントローラ６の影響度計測部２７は、ステップＳ７でこれら取得した庫内温度Ｔ２−庫内温度Ｔ１の絶対値、即ち、温度変化の絶対値を図３の影響度記憶部１２に格納し、ステップＳ８で全室内機Ａ１〜Ａｎについて終了したか判断する。終了していなければステップＳ１０でカウンタｉを一つ繰り上げ、即ち、次の室内機Ａ２を影響を与える側の機器として設定した後、ステップＳ２に戻り、これをカウンタｉがｎになるまで繰り返す。
【００４４】
そして、ステップＳ８で全室内機Ａ１〜Ａｎについて上記動作を実行した場合（カウンタがｎ）、影響度計測部２７は影響度計測動作を終了する。尚、本実施例では全室内機Ａ１〜Ａｎについて影響度を計測したが、それに限らず、任意の室内機についてのみ影響度を計測するようにしても良い。図６はこのようにして計測された影響度テーブルの例を示しており、統合コントローラ６の影響度記憶部１２に構成される。このテーブルからも明らかなように、室内機Ａ１を運転した場合にショーケースＣ３の庫内温度は３ｄｅｇ低下しており、影響度は大きい。即ち、室内機Ａ１はショーケースＣ３の近くに位置していることになる。また、ショーケースＣ２はショーケースＣ３に隣接（近傍）しているため、室内機Ａ１の影響はショーケースＣ２にも出てショーケースＣ２では２ｄｅｇ低下していることが分かる。
【００４５】
また、ショーケースＣ３は室内機Ａｎからも次に影響を受けており、２ｄｅｇ低下している。即ち、室内機Ａｎも室内機Ａ１の次にショーケースＣ３の近くに位置していることが分かる。尚、室内機ＡｎはショーケースＣ２に最も影響を与え、４ｄｅｇ低下している。また、室内機Ａ３はショーケースＣ１に最も影響を与え、これも４ｄｅｇ低下していることが分かる。
【００４６】
尚、上記では一台の室内機Ａ１〜Ａｎを運転した場合の各ショーケースＣ１〜Ｃｍの庫内温度の変化を計測したが、上述したように室内機Ａｎも室内機Ａ１の次にショーケースＣ３に影響を与えているので、これらを同時に運転したときのショーケースＣ３に与える影響度を計測することも有効である。図７はこの場合に影響度記憶部１２に格納されるもう一つの影響度テーブルの例を示している。
【００４７】
この図で示す一例はショーケースＣ３のみを対象として室内機Ａ１とＡｎを同時に運転した場合の庫内温度の変化（庫内温度Ｔ２−庫内温度Ｔ１の絶対値）であり、図６の場合よりも更に冷却影響度は大きく、ショーケースＣ３の庫内温度は４ｄｅｇ低下していることが分かる。そして、これも図６の影響度を参考にして影響度が大きいと考えられる室内機Ａ１〜Ａｎの種々の組み合わせを各ショーケースＣ１〜Ｃｍに対して実行し、テーブルを構成するものである。
【００４８】
このような方法により統合コントローラ６は、既存の庫内温度センサ７等の機器を利用して店舗ＳＴに設置された店内空調機ＡＣの各室内機Ａ１〜Ａｎの各ショーケースＣ１〜Ｃｍに対する影響度を自動的に取得する。そして、この影響度はショーケースＣ１〜Ｃｍと室内Ａ１〜Ａｎの店舗ＳＴにおける位置情報に相当するので、これにより、従来の如く手作業で位置情報を設定する必要が無くなり、ＧＰＳやＲＦＩＤタグ等の機器を用いた位置検索も不要となるので、安価で簡便な店舗内の省エネ運転を実現できることになる。
【００４９】
尚、上記では庫内温度Ｔ２−庫内温度Ｔ１の絶対値をそのまま影響度テーブルに格納し、影響度としたが、それに限らず、庫内温度の変化に比例する他のパラメータ又は庫内温度が一定温度（例えば１℃）低下するまでの時間を用いて影響度テーブルを構成しても良い。
【００５０】
（２）庫内冷却補助動作
次に、このように取得した影響度記憶部１２内の影響度を利用して室内機Ａ１〜ＡｎによりショーケースＣ１〜Ｃｍの庫内を冷却補助する動作について説明する。前述したようなショーケースＣ１〜Ｃｍの冷却運転中に、統合コントローラ６の図４の機器特定部１３は、各ショーケースＣ１〜Ｃｍの目標温度と現在の庫内温度を比較し、その差（温度差）が例えば所定の閾値１より大きいか、閾値２より大きいか否かを判断する。尚、閾値２は閾値１より大きいものとする。
【００５１】
例えば、商品が大量に補充された等の何らかの要因によってショーケースＣ３の庫内冷却状態が悪化し、現在の庫内温度が目標温度より高くなってその温度差（庫内温度−目標温度）が閾値１より大きいが、閾値２以下となった場合、機器特定部１３は当該ショーケースＣ３に対して最も影響度が大きい室内機Ａ１を図８に示す影響度テーブルから検索し、庫内冷却補助のための制御対象に特定する。そして、図４の機器動作決定部１４は当該室内機Ａ１の目標温度を所定値下げる制御指示を決定し、図４の指示送信部１６はこの制御指示を室内機Ａ１に送信する。
【００５２】
室内機Ａ１の機器コントローラ３は、統合コントローラ６からの係る制御指示を受けて目標温度（空調温度設定値）を所定値下げる。これにより、室内機Ａ１の冷房能力が増大するので、多量に吹き出されることになる冷房用の冷気がショーケースＣ３の庫内に進入し、或いは、その周囲の空間温度が低下することになり、ショーケースＣ３の庫内温度が低下していくことになる。
【００５３】
これにより、エネルギー効率の高い店内空調機ＡＣでショーケースＣ３の庫内を冷却することが可能となり、店舗ＳＴにおける消費電力を効果的に削減することが可能となる。
【００５４】
一方、庫内温度が上昇度合いが大きく、目標温度との温度差が前記閾値２より大きい場合、図４の機器特定部１３は室内機Ａ１の次にショーケースＣ３に対して影響度が大きい室内機Ａｎを図８に示す影響度テーブルから検索し、室内機Ａ１と共に庫内冷却補助のための制御対象に特定する。これにより、室内機Ａ１に加えて室内機Ａｎの目標温度も所定値下げられることになり、二台の室内機Ａ１及びＡｎの冷房能力が増大されてショーケースＣ３の庫内冷却を補助することにより、円滑に庫内温度は低下していくことになる。
【００５５】
このようにショーケースＣ３の庫内冷却状態に応じて、冷房能力を増大させる影響度の大きい室内機Ａ１〜Ａｎの台数を調整することにより（実施例ではＡ１とＡｎの二台に増やす）、一層効果的にショーケースＣ３の庫内冷却を実現できる。
【００５６】
（３）ショーケースの除霜時の動作
一方、各ショーケースＣ１〜Ｃｍは統合コントローラ６からの指令等により、搭載されている蒸発器の除霜運転を実行する。この除霜運転は蒸発器への冷媒供給を停止した状態で前記送風機を運転する所謂オフサイクルデフが一般的である。その場合、蒸発器による庫内の冷却は停止するため、当然に庫内温度は上昇してしまうが、統合コントローラ６の機器特定部１３は、除霜が開始されたショーケースＣ１〜Ｃｍに影響度の大きい室内機Ａ１〜Ａｎ（ショーケースＣ３の場合には室内機Ａ１やＡｎ）を影響度テーブルから検索し、前述同様に機器動作決定部１４で目標温度低下の制御指示を決定し、指示送信部１６から送信して室内機の冷房能力を増大させる。
【００５７】
このように、ショーケースＣ１〜Ｃｍの除霜を行う場合にも、影響度記憶部１２に記憶された影響度の大きい室内機Ａ１〜Ａｎの冷房能力を増大させれば、除霜によるショーケースＣ１〜Ｃｍの庫内温度上昇を抑制して、商品の劣化を抑制若しくは回避することができるようになる。
【００５８】
（４）隣接するショーケースの過冷却防止動作
ここで、上述の如く室内機Ａ１やＡｎの冷房能力を増大させた場合、図９に示すようにショーケースＣ３の近傍のショーケースＣ２にも冷却影響が及ぶため、庫内冷却状態が悪化していないショーケースＣ２は、冷房能力が増大された室内機Ａ１、Ａｎからの冷房用の冷気の進入等により、過冷却される不都合が発生する。
【００５９】
そこで、統合コントローラ６の機器特定部１３は、前述の如く室内機Ａ１やＡｎの冷房能力を増大させる場合、図９の影響度テーブルからショーケースＣ２も制御状態変更要の制御対象として特定する。そして、機器動作決定部１４はショーケースＣ２の目標温度を一時的に上昇させる制御指示を決定し、指示送信部１６からショーケースＣ２の機器コントローラ３に送信する。
【００６０】
これにより、ショーケースＣ２では庫内冷却能力が一時的に低下することになるので、当該近傍のショーケースＣ２で発生する庫内の過冷却を未然に回避することができるようになる。
【符号の説明】
【００６１】
１  店舗集中管理装置
３  機器コントローラ
６  統合コントローラ
７  庫内温度センサ（庫内温度計測部）
Ａ１〜Ａｎ  室内機（空気調和機）
ＡＣ  店内空調機
Ｃ１〜Ｃｍ  ショーケース
Ｒ  冷凍機
ＳＴ  店舗
【図１】
2013096589.tif 000003
【図２】
2013096589.tif 000004
【図３】
2013096589.tif 000005
【図４】
2013096589.tif 000006
【図５】
2013096589.tif 000007
【図６】
2013096589.tif 000008
【図７】
2013096589.tif 000009
【図８】
2013096589.tif 000010
【図９】
2013096589.tif 000011